(57)【要約】      （修正有）【課題】靴のフィッティングの際、目視では確認の難しいかかと部分を中心に、足元を効率的に映すことにより靴選びの大きなサポートとなるミラーを提供する。【解決手段】靴のフィッティング時に足元を確認するためのミラー１であって、地面に対して０度以上９０度未満の角度を有する１面もしくはヒンジ部材５で接合された２面以上の多面のミラー部材２ａ〜２ｄで構成され、たとえばミラーを繋ぐベルト３のような自立させるための手段を持つ。【選択図】図１
0003200443.tif 000002
【実用新案登録請求の範囲】
【請求項１】
主に靴のフィッティング時に足元を確認するためのミラーであって、
地面に対して０度以上９０度未満の角度を有する１面もしくは２面以上の多面のミラー部材で構成され、また自立させるための手段を持った形状を特徴としているフィッティング用ミラー。
【請求項２】
前記ミラー部材は、表面を鏡面仕上げした金属板で形成されている、請求項１に記載のフィッティング用ミラー。
【請求項３】
前記ミラー部材を複数配置し、ヒンジ部材等により接合し折りたたみ式に構成されている、請求項１又は請求項２に記載のフィッティング用ミラー。
【請求項４】
前記ミラー部材は、周囲に衝撃緩衝部材を備えている、請求項１〜３のいずれか１項に記載のフィッティング用ミラー。
【請求項５】
前記ミラー部材は、該ミラー部材の表面を平滑に保つため裏面に補強材を貼り付けている、請求項１〜４のいずれか１項に記載のフィッティング用ミラー。
【考案の詳細な説明】
【技術分野】
【０００１】  本考案は、主に靴のフィッティングの際、後方かかと部分を中心に足元を確認するためのミラーに関する。
【背景技術】
【０００２】  一般に鏡は日常生活において必需品であり、手鏡等小型のものから全身を映す姿見まで多種多様なものが流通している。本考案は、主に靴のフィッティングに有効な手段を提供するものであるので、そこに焦点を当てて考察することとする。【０００３】  従来、靴選びのポイントとして、着用時の「痛い、きつい」という感覚も重要であるが、鏡を見ながらフィッティング状態をチェックすることも良い靴選びのために重要である。【０００４】  例えば、土踏まずのアーチラインが靴のラインと合っているか、かかとのカーブが靴のカーブと一致しているか、足幅が合っているか、つま先部分にゆとりがあるか、ヒールと足のラインが一直線になっているか等、履き心地・デザインともに自分に合った靴に巡り会うためには、念入りなフィッティングの確認が必要である。【０００５】  なお、鏡における先行技術としては、例えば姿見鏡がある（特許文献１参照）。これによると、任意の場所で自立可能かつ移動も容易であり、鏡板の角度も任意に後傾させることができるため、良好な使用態様を得ることができる、とある。
【先行技術文献】
【特許文献】
【０００６】
【特許文献１】実開平６−８４９６１公報
【考案の概要】
【考案が解決しようとする課題】
【０００７】  上記のような鏡では、自立させ角度も任意に変えることができるので、鏡としての使用感は申し分ないと考えられる。しかしながら、例えば靴のフィッティング時の足元確認に適しているとは言えず、また手鏡等では靴の着用感を全体的に確認するには物足りない。【０００８】  このように、従来の鏡では、例えば靴のフィッティング時に十分な役割を果たしているものがあるとは言えないのが現状である。【０００９】  そこで本考案は、主に靴のフィッティングの際に、目視により様々な方向から後方かかと部分を中心に足元を確認することで靴との相性や着用時の外観等を細かくチェックでき、靴選びの大きなサポートとなるミラーを提供することを目的とする。
【課題を解決するための手段】
【００１０】  上記目的を達成するために、本考案は、主に靴のフィッティング時に足元を確認するためのミラーであって、地面に対して０度以上９０度未満の角度を有する１面もしくは２面以上の多面のミラー部材で構成され、また自立させるための手段を持った形状を基本構造としている。【００１１】  この構成により、使用者は足元を鏡に映すことで、フィッティング時に通常では見えづらい後方かかと部分を含めた箇所の確認が可能になる。【００１２】  また、前記ミラー部材は、表面を鏡面仕上げした金属板で形成されていてもよい。そうすることで硬質物がミラーに当接したり、ミラーが落下したりしても割れないようにできる。【００１３】  また、複数の前記ミラー部材をヒンジ等によって接合し、折りたたみ式にしてもよい。このように構成すれば、嵩張らず携帯に便利であり、尚且つ多面を有するため様々な方向から一度に足元を確認できるミラーを提供することができ、靴選び時に一層重要な役割を果たすことができる。尚、このヒンジ部材は角度を固定できるものを使用してもよい。そうすることで複数のミラー部材を接合した時に自立させることができる。【００１４】  また、前記ミラー部材は周囲に衝撃緩衝部材を備えていてもよい。このように構成すれば、金属ミラーを誤って落下させても怪我や損傷を防ぐことができる。【００１５】  また、前記ミラー部材は、当該ミラー部材の表面を平滑に保つため裏面に補強材を貼り付けてもよい。このように構成すれば、広範囲を確認できる複数のミラー部材を薄くして軽量化するとともにその平滑性を補強材により長期間保つことができる。
【考案の効果】
【００１６】  本考案によれば、主に靴のフィッティング時において、１面もしくは２面以上の多面のミラー部材に足元を映して通常では確認しにくい後方かかと部分を含めたフィッティング状態を一度に確認することができ、自分の足に合った靴選びを効率良く行なうことが可能となる。
【図面の簡単な説明】
【００１７】
【図１】図１は、本考案の一実施形態を示すフィッティング用ミラーを自立させた状態の平面図である。
【図２】図２は、図１に示すフィッティング用ミラーの正面図である。
【図３】図３は、図１に示すフィッティング用ミラーを使用して靴のフィッティングを実施している一例を示す図である。
【考案を実施するための形態】
【００１８】  以下、本考案の実施形態を図面に基づいて説明する。以下の実施形態では、４面のミラー部材２ａ〜２ｄを備えたフィッティング用ミラー１を例に説明する。図１に示すように、この実施形態のフィッティング用ミラー１は、台形形状をした４面のミラー部材２ａ〜２ｄと、自立させるための手段の一例としてミラー部材２ａと２ｄを繋ぐベルト３とを備えている。
【００１９】  上記実施形態に使用のミラー部材２ａ〜２ｄは、金属板の表面を鏡面仕上げしたものを用いている。鏡面仕上げは、例えば、バフ掛けなどの加工が採用できる。ミラー部材２ａ〜２ｄとしては、例えば、ステンレス板を用い、鏡面加工によって表面を仕上げることで、錆に強く、割れないという特長を持つミラーに形成することができる。また、この実施形態のミラー部材２ａ、２ｄの周囲には、衝撃緩衝部材４が備えられている。この衝撃緩衝部材４としては、例えば、軟質樹脂材やゴム材などを用いることができる。
【００２０】  この実施形態のフィッティング用ミラー１は、ヒンジ部材５によってミラー部材２ａ〜２ｄを接合し、折りたたみ式に形成している。このように構成すれば４面のミラー部材を重ねてコンパクトにできるため、携帯時に非常に有効である。
【００２１】  図２は、この実施形態のフィッティング用ミラー１の正面図である。ミラー部材２ａ〜２ｄは地面に対する傾斜角度θを有している（θは０度以上９０度未満）。この４面のミラー部材が傾斜角度θを有することにより、通常では確認しづらい足元を見上げるアングルを様々な方向から映し出すことを可能にした。
【００２２】  また、この実施形態のフィッティング用ミラー１は、図１に示すようにミラー部材２ａと２ｄをベルト３によって繋ぐことにより、地面に対する傾斜角度θを有するミラー部材を自立させることが可能である。自立させる手段としては他に、ヒンジ部材５を角度の固定できるものを使用してもよい。そうすることでミラー部材が傾斜角度を保ったまま自立することが可能となる。
【００２３】  また、ミラー部材２ａ〜２ｄの表面を平滑に保つため裏面に補強材を貼り付けてもよい。このように構成すれば、広範囲を確認できる複数のミラー部材を薄くして軽量化するとともに、その平滑性を補強材により長期間保つことができる。
【００２４】  図３は、実際にフィッティング用ミラー１を使用して靴のフィッティグを実施している一例である。例えば椅子に座った状態で図３のようにフィッティング用ミラー１を配置し、上からミラーを覗き込めば、靴の両側面とかかと部を斜め下からの視点で下腿部を含め容易に確認することができる。
【００２５】  以上のように、上記フィッティング用ミラー１によれば、靴のフィッティング時に後方かかと部分を中心とした足元部分をミラーに映すことにより、フィッティング状態を自身の目線で容易に確認することができ、靴選びに重要なチェックポイントを極めて効率的に確認する手段を提供することが可能である。
【００２６】  また、ミラー部材２ａ〜２ｄは、硬質物が当接しても割れることがないので、使用者が誤ってミラー部材を落下させたり硬質物に当接させたとしても、周囲にガラスが散乱することもなく、安心して使用することができる。
【００２７】  なお、上記の実施形態では、ミラー部材２ａ〜２ｄをステンレス板で形成しているが、ガラス製の鏡でもよく、また他の金属でも表面を鏡面仕上げしてミラー部材２ａ〜２ｄとして用いることができ、ミラー部材２ａ〜２ｄの材質は上記実施形態に限定されるものではない。
【００２８】  さらに、上記の実施形態は一例を示しており、金属板のミラー部材２によって靴のフィッティグに限らずとも、例えば上方からの目視では確認が難しい構造物や工作物の足元を下方からミラーに映して確認できるような構成であればよく、上記した実施形態の構成を全て備えていない構成でも本考案は実施可能であり、本考案の要旨を損なわない範囲で構成を変更してもよく、本考案は上記した実施形態に限定されるものではない。
【符号の説明】
【００２９】１          フィッティング用ミラー
２ａ〜２ｄ  ミラー部材
３          ベルト
４          衝撃緩衝部材
５          ヒンジ部材
【図１】
0003200443.tif 000003
【図２】
0003200443.tif 000004
【図３】
0003200443.tif 000005